(57)【要約】【課題】有機ＥＬ素子への水分の進入を防止可能な有機ＥＬ装置を提供する。【解決手段】基板２上に順に、第１電極層３と、機能層５と、第２電極層６を備えた有機ＥＬ素子１２を備え、当該有機ＥＬ素子１２に、別途成形された防湿部材１１が載置された断面構造を備え、前記基板２を平面視したときに、実際に発光する発光領域３０が存在する有機ＥＬ装置において、前記発光領域３０を構成する有機ＥＬ素子１２の上方にさらに軟質接着層８が積層され、前記基板２を平面視したとき軟質接着層８の外側の領域が硬質接着層１０で囲まれており、前記軟質接着層８及び硬質接着層１０によって前記防湿部材１１が接着されている構成とする。【選択図】図３
2014053252.tif 000002
【特許請求の範囲】
【請求項１】
基材上に順に、第１電極層と、有機発光層と、第２電極層を備えた積層体を備え、前記積層体に、別途成形された封止部材が載置された断面構造を備え、前記基材を平面視したときに、実際に発光する発光領域が存在する有機ＥＬ装置において、
前記発光領域を構成する積層体の積層方向の投影面上にさらに軟質接着層が積層され、前記基材を平面視したとき前記軟質接着層の外側の領域が硬質接着層で囲まれており、前記軟質接着層及び硬質接着層によって前記封止部材が接着されていることを特徴とする有機ＥＬ装置。
【請求項２】
前記軟質接着層と硬質接着層がオーバーラップする領域が存在することを特徴とする請求項１に記載の有機ＥＬ装置。
【請求項３】
前記硬質接着層は、軟質接着層に対してオーバーラップしており、かつ発光領域側に向かって延伸していることを特徴とする請求項１又は２に記載の有機ＥＬ装置。
【請求項４】
軟質接着層と硬質接着層のオーバーラップによる重なり幅は、０．０５ｍｍ以上２ｍｍ以下となっていることを特徴とする請求項２又は３に記載の有機ＥＬ装置。
【請求項５】
軟質接着層は、シート状の軟質用接着材で形成されており、
硬質接着層は、流動性を有した硬質用接着材で形成されていることを特徴とする請求項１乃至４のいずれかに記載の有機ＥＬ装置。
【請求項６】
請求項１乃至５のいずれかの有機ＥＬ装置を製造する製造方法であって、
前記積層体を形成する積層体形成工程と、
軟質接着層を形成する工程と、
封止部材を接着する封止部材接着工程と、を有し、
前記封止部材接着工程において、軟質接着層の一部に流動性を有した硬質用接着材を塗布し、
当該接着材が固化することによって硬質接着層を形成することを特徴とする有機ＥＬ装置の製造方法。
【発明の詳細な説明】
【技術分野】
【０００１】
本発明は、有機ＥＬ（Electro Luminescence）装置に関するものである。また、本発明は、当該有機ＥＬ装置の製造方法に関するものである。
【背景技術】
【０００２】
近年、白熱灯や蛍光灯に代わる照明装置として有機ＥＬ装置が注目され、多くの研究がなされている。
【０００３】
ここで、有機ＥＬ装置は、ガラス基板や透明樹脂フィルム等の基材に、有機ＥＬ素子を積層したものである。
また、有機ＥＬ素子は、一方又は双方が透光性を有する２つの電極を対向させ、この電極の間に有機化合物からなる発光層を積層したものである。有機ＥＬ装置は、電気的に励起された電子と正孔との再結合のエネルギーによって発光する。
有機ＥＬ装置は、自発光デバイスであるため、ディスプレイ材料として使用すると高コントラストの画像を得ることができる。また、発光層の材料を適宜選択することにより、種々の波長の光を発光することができる。また、白熱灯や蛍光灯に比べて厚さが極めて薄く、且つ面状に発光するので、設置場所の制約が少ない。
【０００４】
ところで、有機ＥＬ装置は、有機ＥＬ素子への水分や酸素（以下、水等ともいう）の進入を防止するために有機ＥＬ素子を外部の雰囲気から遮断する封止構造を備えている。しかしながら、有機ＥＬ素子の封止機能が不十分な場合には、有機ＥＬ装置を長期間使用すると、ダークスポットと呼ばれる非発光点が発生する。このダークスポットについて詳説すると、有機ＥＬ素子の封止が不十分な場合、水等が封止構造内に進入し、有機ＥＬ素子が水等に曝された状態となる。この状態で使用（点灯）すると、有機ＥＬ素子を構成する電極あるいは電極界面付近の有機化合物層の一部が酸化され、表面に絶縁性の酸化被膜が形成される。この酸化被膜が形成されると、形成箇所は部分的に絶縁化されるため、点灯時に当該箇所が発光せず、ダークスポットが形成される。
すなわち、有機ＥＬ装置のダークスポットの形成を防止するためには、有機ＥＬ素子への水等の進入を確実に防止することが必要となる。
【０００５】
そこで、有機ＥＬ素子への水等の進入を防ぐ技術として、特許文献１では、基材上に順次、第１電極（電極）と有機化合物層（発光層）と第２電極（電極）とを積層した構造を有する有機ＥＬ素子を有し、第２電極の上に、封止層としてシリコン合金層を積層して封止する技術が開示されている。
【先行技術文献】
【特許文献】
【０００６】
【特許文献１】特開２００５−２８５６５９号公報
【発明の概要】
【発明が解決しようとする課題】
【０００７】
ところが、引用文献１の有機ＥＬ装置は、一定以上の封止性能を有するものの、シリコン合金層のみでは封止が十分ではない。そのため、更なる封止性能を有した有機ＥＬ装置が求められており、未だ改良の余地が残されている。
【０００８】
そこで、本発明は、上記した問題点を解決するものであり、有機ＥＬ素子への水分の侵入を防止可能で短絡による不点灯等の不具合の発生の無い有機ＥＬ装置を提供するものである。
【課題を解決するための手段】
【０００９】
上記の課題を解決するために、発明者らは、特許文献１の構造を参考にしてシリコン合金層上にさらに封止層を被覆した構造を有する有機ＥＬ装置を試作した。すなわち、２重の封止構造を有する有機ＥＬ装置を試作して、封止性能の向上を図った。
具体的には、試作した有機ＥＬ装置１００は、図１６（ａ）のように、ガラス基板１０２上に順次、透明電極層１０３と有機発光層１０５と裏面電極層１０６とを積層した構造を有する有機ＥＬ素子１２０を積層し、この裏面電極層１０６の上に、シリコン合金層１０７を積層し、さらにその外側を硬質のエポキシ樹脂層１０８で封止した。
この試作した有機ＥＬ装置１００は、旧来のものに比べて、封止性能が各段に向上するはずであり、本発明者らは、ダークスポットの発生個数や、その成長が大幅に低減され、装置の信頼性や寿命が大幅に向上するものと期待した。
しかしながら、試作した有機ＥＬ装置１００は、予想したほどの効果は得られなかった。すなわち、試作した有機ＥＬ装置１００は、旧来のものに比べて、ダークスポットの成長は抑制されるものの、短絡によるとみられる不点灯を引き起こすものが多数発生した。
そこで、この原因を検討した結果、有機ＥＬ装置１００の内部で発生する局所的な熱膨張、破損等によって、電極層１０３，１０６や、有機発光層１０５が変形するのではないかと考えた。
すなわち、初期不良や環境、外的要因等の原因によって、有機ＥＬ素子１２０の一部が膨張したり、破損して飛散したりした場合、シリコン合金層１０７は、図１６（ｂ）のように、その圧力や衝撃を受けて外側（有機ＥＬ素子１２０と反対側）に向けて応力が逃げるので、有機ＥＬ素子１２０側には応力がかかりにくい。
ところが、この試作した有機ＥＬ装置１００の場合、シリコン合金層１０６の外側に覆われたエポキシ樹脂層１０７の剛性によって、図１６（ｃ）のようにシリコン合金層１０６が有機ＥＬ素子１２０側に押し返されてしまう。また、シリコン合金層１０６とエポキシ樹脂層１０７間の熱膨張係数の違いにより歪みも生じやすい。そのため、シリコン合金層１０６が有機ＥＬ素子１２０の膨張部位を圧迫し、透明電極層１０３と裏面電極層１０６との距離が近接するため、新たな短絡を引き起こす。すなわち、この試作した有機ＥＬ装置１００の構造では、封止性能は向上するが、一度ダークスポットが発生すると、それに付随してダークスポットが増加してしまったのではないかと考察した。また、ダークスポットの増加が引き金となり、有機ＥＬ装置１００全体が不点灯になってしまったのではないかと考察した。
本発明者らは、上記した仮説に基づき、シリコン合金層１０６とエポキシ樹脂層１０７との間に緩衝層を介在させ、緩衝層内部で、応力を緩和させる構造を試作した。その結果、予想を上回るダークスポットの発生個数の減少や、その成長の大幅な低減が見られた。また、この緩衝層を介在した有機ＥＬ装置は不点灯になりにくいこともわかった。
【００１０】
以上の知見に基づいて、導き出された請求項１に記載の発明は、基材上に順に、第１電極層と、有機発光層と、第２電極層を備えた積層体を備え、前記積層体に、別途成形された封止部材が載置された断面構造を備え、前記基材を平面視したときに、実際に発光する発光領域が存在する有機ＥＬ装置において、前記発光領域を構成する積層体の積層方向の投影面上にさらに軟質接着層が積層され、前記基材を平面視したとき前記軟質接着層の外側の領域が硬質接着層で囲まれており、前記軟質接着層及び硬質接着層によって前記封止部材が接着されていることを特徴とする有機ＥＬ装置である。
【００１１】
本発明の構成によれば、前記発光領域を構成する積層体の積層方向の投影面上にさらに軟質接着層が積層され、前記基材を平面視したとき前記軟質接着層の外側の領域が硬質接着層で囲まれており、前記軟質接着層及び硬質接着層によって前記封止部材が接着されている。すなわち、発光領域に対応する部位においては、軟質接着層によって封止部材が接着され、その周りにおいては、硬質接着層によって封止部材が接着されている。つまり、２種類接着層によって封止部材が接着されている。そのため、接着面積を確保しつつ、上記したような軟質接着層によって発生する応力を緩和できる。それ故に、封止性能が高く、不点灯になりにくい。軟質接着層は、積層体の熱膨張による応力を吸収できるため、冷熱衝撃耐性が高く、クラックが生じにくい。
【００１２】
請求項２に記載の発明は、前記軟質接着層と硬質接着層がオーバーラップする領域が存在することを特徴とする請求項１に記載の有機ＥＬ装置である。
【００１３】
本発明の構成によれば、前記軟質接着層と硬質接着層がオーバーラップする領域が存在する。すなわち、前記軟質接着層と硬質接着層のうち、一方が他方に対して覆い被さっている。言い換えると、軟質接着層と硬質接着層が面方向に互いに入り組んでいる。そのため、積層方向において、発光領域内の積層体に水が進入しにくく、より確実に封止できる。
【００１４】
請求項３に記載の発明は、前記硬質接着層は、軟質接着層に対してオーバーラップしており、かつ発光領域側に向かって延伸していることを特徴とする請求項１又は２に記載の有機ＥＬ装置である。
【００１５】
本発明の構成によれば、前記硬質接着層は、軟質接着層に対してオーバーラップしており、かつ発光領域側に向かって延伸している。すなわち、硬質接着層は、発光領域側に覆い被さっている。そのため、たとえ封止部材と硬質接着層と界面を伝わってもオーバーラップ部位が軟質接着層側への水の進入を堰き止めることができるため、発光領域上に水が進入することがない。また、封止部材の端部から硬質接着層と軟質接着層と境界部位の距離がオーバーラップしていない場合よりも遠くすることが可能であるため、より確実に封止できる。
【００１６】
請求項２又は３に記載の有機ＥＬ装置において、軟質接着層と硬質接着層のオーバーラップによる重なり幅は、０．０５ｍｍ以上２ｍｍ以下となっていることが好ましい（請求項４）。より好ましくは０．１ｍｍ以上１ｍｍ以下とすることである。
【００１７】
請求項５に記載の発明は、軟質接着層は、シート状の軟質用接着材で形成されており、硬質接着層は、流動性を有した硬質用接着材で形成されていることを特徴とする請求項１乃至４のいずれかに記載の有機ＥＬ装置である。
【００１８】
本発明の構成によれば、軟質接着層は、シート状の軟質用接着材で形成されており、硬質接着層は、流動性を有した硬質用接着材で形成されている。すなわち、軟質接着層はシート状の軟質用接着材で形成されているため、接着時にシート状に形状をとどめており、接着ムラが生じにくい。また、硬質接着層は、流動性を有した硬質用接着材で形成されているため、軟質接着層の外側の領域を硬質接着層で囲みやすい。
【００１９】
請求項６に記載の発明は、請求項１乃至５のいずれかの有機ＥＬ装置を製造する製造方法であって、前記積層体を形成する積層体形成工程と、軟質接着層を形成する工程と、封止部材を接着する封止部材接着工程と、を有し、前記封止部材接着工程において、軟質接着層の一部に流動性を有した硬質用接着材を塗布し、当該接着材が固化することによって硬質接着層を形成することを特徴とする有機ＥＬ装置の製造方法である。
【００２０】
本発明の製造方法によれば、軟質接着層の一部に流動性を有した硬質用接着材を塗布し、当該接着材が固化することによって硬質接着層を形成するため、製造しやすい。
【発明の効果】
【００２１】
本発明の有機ＥＬ装置によれば、積層体への水分の進入を防止できる。
本発明の有機ＥＬ装置の製造方法によれば、製造しやすい。
【図面の簡単な説明】
【００２２】
【図１】本発明の第１実施形態に係る有機ＥＬ装置を裏面側から観察した斜視図である。
【図２】図１の有機ＥＬ装置の分解斜視図である。
【図３】図１の有機ＥＬ装置のＡ−Ａ断面図であり、理解を容易にするため、ハッチングを省略している。
【図４】本発明の第１実施形態に係る有機ＥＬ装置の各位置における断面図である。
【図５】図３の基板及び有機ＥＬ素子の斜視図である。
【図６】図５の基板及び有機ＥＬ素子の分解斜視図である。
【図７】図１の有機ＥＬ装置の封止層積層工程までの製造方法の説明図であり、（ａ）〜（ｈ）は各工程を表す。
【図８】図１の有機ＥＬ装置の軟質樹脂層を形成する工程の説明図であり、（ａ）〜（ｃ）は各工程を表す。
【図９】図１の有機ＥＬ装置の硬質樹脂層を形成する工程の説明図であり、（ｄ）〜（ｅ）は各工程を表す。
【図１０】図１の有機ＥＬ装置の防湿部材を取り付ける工程の説明図であり、（ｆ）〜（ｇ）は各工程を表す。
【図１１】図１０（ｆ）の状態を表す有機ＥＬ装置の説明図である。
【図１２】図１の有機ＥＬ装置の有機ＥＬ素子を表す説明図である。
【図１３】図１の有機ＥＬ装置の有機ＥＬ素子が飛散した際の説明図であり、有機ＥＬ素子の飛散後を表す。
【図１４】図１の有機ＥＬ装置の一部破断斜視図である。
【図１５】他の実施形態における有機ＥＬ装置の斜視図であり、理解を容易にするため、防湿部材を取り外している。
【図１６】試作した有機ＥＬ装置の有機ＥＬ素子が飛散した際の説明図であり、（ａ）は有機ＥＬ素子の飛散前、（ｂ）は有機ＥＬ素子の飛散した瞬間、（ｃ）は有機ＥＬ素子の飛散後を表す。
【発明を実施するための形態】
【００２３】
本発明は、有機ＥＬ装置に係るものである。図１は、本発明の第１実施形態に係る有機ＥＬ装置１を示している。以下、上下の位置関係は、特に断りのない限り、図１の姿勢を基準に説明する。すなわち、有機ＥＬ装置１の駆動時における光取り出し側が下である。
【００２４】
本実施形態の有機ＥＬ装置１は、図２のように透光性を有した基板２（基材）上に有機ＥＬ素子１２が積層されており、さらにその上に無機封止層７（封止層）と、軟質接着層８と、硬質接着層１０と、防湿部材１１とを備えている。有機ＥＬ素子１２は、第１電極層３と、機能層５と、第２電極層６から形成されている。
そして、本実施形態の有機ＥＬ装置１は、軟質接着層８及び硬質接着層１０によって、無機封止層７と防湿部材１１を接着するとともに、軟質接着層８上に硬質接着層１０がオーバーラップすることによって、ダークスポットの発生や発光不能状態（不点灯）に陥ることを防止する特徴を有している。
【００２５】
このことを踏まえて、以下、有機ＥＬ装置１の詳細な構造について説明する。
有機ＥＬ装置１は、図２，図３のように駆動時において実際に発光する発光領域３０と、発光領域３０内の有機ＥＬ素子１２に給電する給電領域３１，３２を有している。
発光領域３０は、図３のように第１電極層３と、機能層５と、第２電極層６が重畳した部位である。発光領域３０は、図２，図５のように長手方向ｌ及び短手方向ｗ（長手方向ｌに直交する方向）の中央に位置しており、その長手方向ｌの両外側に給電領域３１，３２が位置している。
給電領域３１，３２の短手方向ｗ（長手方向ｌに直交する方向）の中央には、図５のように島状の取出部３５，３６を有している。取出部３５，３６は、平面視すると四角形状をしており、基板２の短辺（短手方向に延びる辺）に沿って形成されている。取出部３５，３６は、図２，図３のように導電性の接着部材２７，２８によって、電極部材２５，２６と接着されている。
【００２６】
軟質接着層８は、図２のように無機封止層７上であって、少なくとも、発光領域３０の部材厚方向の投影面全面を覆うように積層されている。言い換えると、軟質接着層８は、図３のように後述する有機ＥＬ素子分離溝２１と第１電極層分離溝１５の外側まで延びており、電極接続溝１６，１７の外側まで延びていることが好ましく、取出電極分離溝２２，２３の近傍まで覆っていることが特に好ましい。すなわち、軟質接着層８は、面状に広がりをもって、無機封止層７の大部分を覆っている。
軟質接着層８の縁には図２，図３，図４のように、硬質接着層１０の一部が庇状に覆い被さっていることが好ましい。すなわち、硬質接着層１０は、無機封止層７から軟質接着層８に跨がって覆っている。軟質接着層８の４縁から所定の範囲まで硬質接着層１０が内側（発光領域３０側）に延伸していることが好ましい。この場合、軟質接着層８は、本発明に係る緩衝機能を保持しつつ、硬質接着層１０によって押さえつけられていることとなり本発明の効果を奏しつつ、より信頼性の高い有機ＥＬ装置となる。図１４に示される軟質接着層８の４縁からの硬質接着層１０の被覆長さ（重なり幅）Ｌ１は、非発光の額縁領域（発光領域３０以外の部位）の面積を減らして発光領域３０の面積を増やす観点から、０．０５ｍｍ以上２ｍｍ以下となっており、０．１ｍｍ以上１ｍｍ以下であることが好ましく、０．２ｍｍ以上０．５ｍｍ以下であることが特に好ましい。
【００２７】
硬質接着層１０は、防湿部材１１が有機ＥＬ素子１２側に近接しないように防湿部材１１を支持している。すなわち、硬質接着層１０は、発光領域３０を含む領域を囲むような壁を形成している。また、発光領域３０の投影面上には、無機封止層７と防湿部材１１と硬質接着層１０によって密閉空間が形成されており、その内部に軟質接着層８が位置している。言い換えると、当該密閉空間内に軟質接着層８が充填されている。
ここでいう「充填」とは、空間の９０パーセント以上の領域を占める状態をいう。空間の９５パーセント以上を占める状態であることが好ましく、９９パーセント以上を占める状態であることが特に好ましい。なお、本実施形態では、シート状の軟質接着層８を形成し、その周囲を硬質接着層１０で覆っているため、充填率はほぼ１００パーセントとなっている。
【００２８】
さらに硬質接着層１０は、図４のように電極部材２５，２６の一部を被覆している。具体的には、硬質接着層１０は、電極部材２５，２６の基板２からの張り出し部位を除いて電極部材２５，２６を覆っている。すなわち、有機ＥＬ装置１は、図１のように硬質接着層１０から電極部材２５，２６の一部のみが露出している。
【００２９】
また、本実施形態の有機ＥＬ装置１は、深さの異なる複数の溝によって、複数の区画に分離されて区切られている。
具体的には、有機ＥＬ装置１は、図３のように部分的に第１電極層３を除去した第１電極層分離溝１５と、部分的に機能層５を除去した電極接続溝１６，１７及び取出電極固定溝１８，２０と、部分的に機能層５と第２電極層６の双方を除去した有機ＥＬ素子分離溝２１及び取出電極分離溝２２，２３を有しており、これらの溝によって複数の区画に分離されている。
【００３０】
各溝について詳説すると、第１電極層分離溝１５は、図３，図６のように基板２上に積層された第１電極層３を２つの領域に分離する溝であり、有機ＥＬ素子１２を発光領域３０と給電領域３２（電極部材２６側）に分離する溝である。
また、第１電極層分離溝１５内には図６のように機能層５の一部が進入しており、機能層５は第１電極層分離溝１５の底部で基板２と直接接触している。すなわち、発光領域３０内の第１電極層３と給電領域３２内の第１電極層３を、絶縁性を有した機能層５によって電気的に切り離している。
【００３１】
電極接続溝１６，１７は、図３，図６のように第１電極層３上に積層された機能層５のみを３つの領域に分離する溝であり、給電領域３１，３２に位置する溝である。
すなわち、電極接続溝１７は、給電領域３２内であって、第１電極層分離溝１５の長手方向外側に位置しており、電極接続溝１６は、給電領域３１内であって、有機ＥＬ素子分離溝２１の長手方向外側に位置している。
【００３２】
取出電極固定溝１８，２０は、図３，図６のように、取出電極分離溝２２，２３の外側であって、取出部３５，３６の機能層５のみに設けられた溝である。取出電極固定溝１８，２０は、図６のように取出部３５，３６の長手方向中央に設けられており、短手方向に延伸している。
具体的には、取出電極固定溝１８，２０は、図６のようにその周囲が取出電極分離溝２２，２３に囲まれるように形成されており、取出部３５，３６を長手方向に２等分するようにそれぞれ形成されている。
【００３３】
また、電極接続溝１６，１７及び取出電極固定溝１８，２０内には、いずれも第２電極層６の一部が進入しており、第２電極層６は電極接続溝１６，１７及び取出電極固定溝１８，２０の底部で基板２と直接接触している。すなわち、給電領域３１，３２では電極接続溝１６，１７及び取出電極固定溝１８，２０の内部を経由して第１電極層３と第２電極層６とが電気的に接続されている。
【００３４】
有機ＥＬ素子分離溝２１は、図３，図６のように第１電極層３上に積層された機能層５及び第２電極層６の双方に亘って分離する溝であり、有機ＥＬ素子１２を発光領域３０と給電領域３１とに分離する溝である。
取出電極分離溝２２，２３は、図３，図５のように第１電極層３上に積層された機能層５及び第２電極層６を分離して、島状の取出部３５，３６の外形を形成する溝である。
具体的には、取出電極分離溝２２，２３は、平面視すると、「コ」の字状をした溝であり、その内側に取出電極固定溝１８，２０が位置している。すなわち、取出電極分離溝２２，２３は、基板２の短辺に対して平行な部位と、直交する部位（長辺に対して平行）から形成されている。
【００３５】
また、有機ＥＬ素子分離溝２１及び取出電極分離溝２２，２３内には、図３のように絶縁性を有した無機封止層７の一部が進入しており、無機封止層７は有機ＥＬ素子分離溝２１及び取出電極分離溝２２，２３の底部で第１電極層３と直接接触している。すなわち、発光領域３０内の第２電極層６と給電領域３１内の第２電極層６は、無機封止層７によって電気的に切り離されている。また、給電領域３１内において、取出部３５の第２電極層６とその他の部位の第２電極層６は、無機封止層７によって電気的に切り離されており、給電領域３２内においても、取出部３６の第２電極層６とその他の部位の第２電極層６は、無機封止層７によって電気的に切り離されている。
【００３６】
続いて、有機ＥＬ装置１の各層構成について説明する。
上記したように、有機ＥＬ装置１は、図３のように基板２上に、第１電極層３と機能層５と第２電極層６とがこの順に積層し、その上に、無機封止層７、軟質接着層８及び／又は硬質接着層１０、防湿部材１１が順に積層したものである。また、取出部３５，３６に接着部材２７，２８を介して電極部材２５，２６が固定されている。
【００３７】
基板２は、透光性及び絶縁性を有したものである。基板２の材質については特に限定されるものではなく、例えば、フレキシブルなフィルム基板やプラスチック基板などから適宜選択され用いられる。特にガラス基板や透明なフィルム基板は透明性や加工性の良さの点から好適である。
基板２は、面状に広がりをもっている。具体的には、多角形又は円形をしており、四角形であることが好ましい。本実施形態では、長方形状のガラス基板を採用している。
【００３８】
第１電極層３の材質は、透明であって、導電性を有していれば、特に限定されるものではなく、例えば、インジウム錫酸化物（ＩＴＯ）、インジウム亜鉛酸化物（ＩＺＯ）、酸化錫（ＳｎＯ2）、酸化亜鉛（ＺｎＯ）等の透明導電性酸化物などが採用される。機能層５内の発光層から発生した光を効果的に取り出せる点では、透明性が高いＩＴＯあるいはＩＺＯが特に好ましい。本実施形態では、ＩＴＯを採用している。
【００３９】
機能層５は、第１電極層３と第２電極層６との間に設けられ、少なくとも一つの発光層を有している層である。機能層５は、主に有機化合物からなる複数の層から構成されている。この機能層５は、一般的な有機ＥＬ装置に用いられている低分子系色素材料や、共役系高分子材料などの公知のもので形成することができる。また、この機能層５は、正孔注入層、正孔輸送層、発光層、電子輸送層、電子注入層などの複数の層からなる積層多層構造であってもよい。
本実施形態では、機能層５は、図１２に示すように、第２電極層６側から第１電極層３側に向けて順に、電子注入層６０、電子輸送層６１、発光層６２、正孔輸送層６３、正孔注入層６４がこの順番に積層された構造を有している。電子注入層６０、電子輸送層６１、発光層６２、正孔輸送層６３、正孔注入層６４のいずれも公知の材料を採用している。
【００４０】
また、これらの機能層５を構成する層は、真空蒸着法やスパッタ法、ＣＶＤ法、ディッピング法、ロールコート法（印刷法）、スピンコート法、バーコート法、スプレー法、ダイコート法、フローコート法など適宜公知の方法によって成膜できる。
【００４１】
第２電極層６の材質は、導電性を有していれば、特に限定されるものではなく、例えば銀（Ａｇ）やアルミニウム（Ａｌ）などの金属が挙げられる。本実施形態の第２電極層６は、Ａｌで形成されている。また、これらの材料はスパッタ法又は真空蒸着法によって堆積されることが好ましい。
また、第２電極層６の電気伝導率及び熱伝導率は、第１電極層３よりも大きい。言い換えると、第２電極層６は、第１電極層３よりも電気伝導性及び熱伝導性が高い。
【００４２】
無機封止層７の材質は、絶縁性及び封止性を有していれば、特に限定されるものではないが、酸素、炭素、窒素の中から選ばれた１種類以上の元素と、ケイ素元素とからなるシリコン合金により形成されていることが好ましく、Ｓｉ−Ｏ、Ｓｉ−Ｎ、Ｓｉ−Ｈ、Ｎ−Ｈ等の結合を含む窒化珪素や酸化珪素、及び両者の中間固溶体である酸窒化珪素であることが特に好ましい。
また、無機封止層７は、所定の条件で有機ＥＬ素子と離反する方向に圧縮応力が発生する層であることが好ましい。
ここでいう「所定の条件」とは、有機ＥＬ素子１２の熱膨張などに起因して発生する押圧力を受けた場合などである。
そして、本実施形態では、多層構造の無機封止層を使用している。
具体的には、無機封止層７は、図３のように有機ＥＬ素子１２側から乾式法によって形成される第１無機封止層５０と、湿式法によって形成される第２無機封止層５１がこの順に積層されて形成されている。
第１無機封止層５０は、化学気相蒸着によって形成される層であり、さらに詳細にはシランガスやアンモニアガス等を原料としてプラズマＣＶＤ法で成膜される層である。第１無機封止層５０は、後述するように有機ＥＬ装置１の製造工程において、水分含量が少ない雰囲気下で、有機ＥＬ素子１２の形成工程に連続して成膜できるため、空気や水蒸気に晒さずに成膜でき、使用直後の初期ダークスポットの発生を低減することができる。
【００４３】
第２無機封止層５１は、液体状又はゲル状の原料を塗布した後、化学反応を介して成膜される層である。第２無機封止層５１は、緻密性を有したシリカを素材としている。また、より詳細には、第２無機封止層５１はポリシラザン誘導体を原料とするのが好ましい。ポリシラザン誘導体を用いてシリカ転化によって第２無機封止層５１を成膜した場合、シリカ転化時に重量増加を生じ、体積収縮が小さい。また、シリカ転化時（固化時）に樹脂の耐え得る温度で十分にしかもクラックを生じ難くすることができるという利点を有する。
なお、ここでいうポリシラザン誘導体は、珪素−窒素結合を持つポリマーであり、Ｓｉ−Ｎ、Ｓｉ−Ｈ、Ｎ−Ｈ等からなるＳｉＯ2、Ｓｉ3Ｎ4、及び両者の中間固溶体ＳｉＯｘＮｙ等のセラミック前駆体ポリマーである。また、このポリシラザン誘導体は、Ｓｉと結合する水素部分が一部アルキル基等で置換された誘導体も含む。
ポリシラザン誘導体の中でも特に側鎖が全て水素であるペルヒドロポリシラザンや、珪素と結合する水素部分が一部メチル基に置換された誘導体が好ましい。
【００４４】
また、このポリシラザン誘導体は、有機溶媒に溶解した溶液状態で塗布し使用することが好ましい。この溶解する有機溶媒としては、脂肪族炭化水素、脂環式炭化水素、芳香族炭化水素等の炭化水素溶媒、ハロゲン化炭化水素溶媒、脂肪族エーテル、脂環式エーテル等のエーテル類が使用できる。
【００４５】
第２無機封止層５１は、第１無機封止層５０に比べて緻密な層が形成できるため、封止性が高く、経時的な新たなダークスポットの発生を防止したり、発生したダークスポットの拡大化を抑制したりすることができる。
【００４６】
また、無機封止層７の成膜位置は、基板２の長手方向の少なくとも電極接続溝１６，１７の外側まで形成しており、本実施形態の無機封止層７の成膜位置は、図３，図４のようにさらに取出電極分離溝２２，２３の近傍まで至っている。無機封止層７は、少なくとも発光領域３０の全面に成膜されており、さらに給電領域３１，３２の一部まで至っている。
【００４７】
無機封止層７の平均厚みは、１μｍ〜１０μｍであることが好ましく、２μｍ〜５μｍであることがより好ましい。
無機封止層７の一部を担う第１無機封止層５０の厚みは、１μｍ〜５μｍであることが好ましく、１μｍ〜２μｍであることがより好ましい。
また、無機封止層７の一部を担う第２無機封止層５１の厚みは、好ましくは１μｍ〜５μｍであることが好ましく、１μｍ〜３μｍであることがより好ましい。
【００４８】
軟質接着層８に目を移すと、軟質接着層８は、柔軟性を有し、所定の条件によって塑性変形又は弾性変形する層である。本実施形態では、軟質接着層８は、無機封止層７の圧縮応力などを受けた場合に、その応力にほとんど逆らわずに、塑性変形可能となっている。
ＪＩＳ  Ｋ  ６２５３に準じた軟質接着層８のショア硬さは、ショア硬さがＡ３０以上Ａ７０以下であることが好ましく、Ａ４０以上Ａ６５以下であることがより好ましく、Ａ４５以上Ａ６３以下であることが特に好ましい。
緩衝層のショア硬さがＡ７０より大きい場合、緩衝層の剛性が大きすぎて、膨らみや衝撃が十分吸収できない。また、防湿部材１１として例えばフィルム等の剛性が低いものを採用する際に、軟質接着層８のショア硬さがＡ３０より小さい場合には、防湿部材１１の形状を維持できない。
軟質接着層８の曲げ弾性率は、３ＭＰａ以上３０ＭＰａ以下であることが好ましく、３ＭＰａ以上２５ＭＰａ以下であることがより好ましく、３．９ＭＰａ以上２３ＭＰａ以下であることが特に好ましい。
軟質接着層８の具体的な材質としては、アクリルゴム（ＡＣＭ）、エチレンプロピレンゴム（ＥＰＭ，ＥＰＤＭ）、シリコーンゴム（Ｑ）、ブチルゴム（ＩＩＲ）、スチレン・ブタジエンゴム（ＳＢＲ）、ブタジエンゴム（ＢＲ）、フッ素ゴム（ＦＫＭ）、ニトリルゴム（ＮＢＲ）、イソプレンゴム（ＩＲ）、ウレタンゴム（Ｕ）、クロロスルホン化ポリエチレン（ＣＳＭ）、エピクロルヒドリンゴム（ＣＯ，ＥＣＯ）、クロロプレンゴム（ＣＲ）等のゴム材料が使用できるが、一定の水蒸気バリア性を有し、安価に入手可能である点から、アクリルゴム系樹脂、エチレンプロピレンゴム系樹脂、シリコーンゴム系樹脂、及びブチルゴム系樹脂から選ばれる１種以上であることが好ましく、その中でもフィルムとして入手が容易な、ブチルゴム系樹脂がより好ましい。なお、本実施形態の軟質接着層８は、ブチルゴム系樹脂シートを採用している。
また、本実施形態の軟質接着層８は、接着性を有しており、複数部材を互いに接着可能となっている。具体的には、本実施形態の軟質接着層８は、シート状又は板状の部材であり、表面に粘着性加工が施されている。
軟質接着層８の厚みは、有機ＥＬ素子１２の局所的なショート欠陥（電気的に短絡）の対応部分が膨らむことで局所的なオープン欠陥（電気的に開放）となるようにし、有機ＥＬ装置そのものが不点灯とならないようにする観点や、衝撃の吸収を十分なものとしつつ有機ＥＬ装置の薄さの特長を活かす観点から、２μｍ以上１０００μｍ以下とすることが好ましく、１０μｍ以上２００μｍ以下であることがより好ましく、２０μｍ以上１００μｍ以下であることがさらに好ましい。
【００４９】
硬質接着層１０は、軟質接着層８よりも剛性が高く硬い材質となっている。具体的には、ＪＩＳ  Ｋ  ６２５３に準じた硬質接着層１０のショア硬さ（及び対応する曲げ弾性率の概算値）は、ショアＡ８０以上、すなわち、ショアＤ３０以上（２５ＭＰａ以上）であることが好ましく、より高信頼性の有機ＥＬ装置とする観点からショアＤ５５以上（２５０ＭＰａ以上）、ショアＤ９５以下（６０００ＭＰａ以下）とすることがより好ましく、ショアＤ８０以上（１５００ＭＰａ以上）、ショアＤ９０以下（４０００ＭＰａ以下）とすることがさらに好ましい。
また、本実施形態の硬質接着層１０は、防水性及び接着性（粘着性）を有しており、複数部材を互いに接着可能となっている。具体的には、本実施形態の硬質接着層１０は、溶液又はゲル状の流動体を固化して形成されるものである。
硬質接着層１０の具体的な材質としては、例えば、エポキシ樹脂などが採用できる。なお、本実施形態では、エポキシ樹脂を採用している。
このような硬質接着層１０から構成される本発明に係る硬質壁部は、本発明に係る防湿部材１１を十分な強度で支持し、また、水分の有機ＥＬ素子１２への進入を十分に防止し、本発明に係る電極部材２５，２６（給電部材）を十分な強度で補強し、また、その酸化を防止し、かつ、硬質壁部が存在する非発光領域となる額縁領域を狭くする観点から、図１５に示されるその基板２の面に平行な方向の硬質接着層１０の幅（硬質壁部の厚み）Ｄ１，Ｄ２が、０．０５ｍｍ以上、１０ｍｍ以下とすることが好ましく、０．１ｍｍ以上５ｍｍ以下とすることがより好ましく、０．５ｍｍ以上２ｍｍ以下とすることがさらに好ましい。
【００５０】
防湿部材１１は、防湿性を有した板状又はシート状の部材である。
防湿部材１１の材質は、防湿性を有していれば、特に限定されるものではないが、例えば、アルミ箔によって形成された層やポリテトラフルオロエチレン（ＰＴＦＥ）によって形成された層、ＳｉaＡｌbＯcＮd（サイアロン）によって形成された層などが採用できる。
また、防湿部材１１は、複数層によって形成されていてもよい。具体的には、防湿部材１１は、図３のように金属箔５５と、金属箔５５の少なくとも無機封止層７側の片面全体をコーティングする絶縁性樹脂膜５２又は絶縁性樹脂膜５３から形成されている。本実施形態では、金属箔５５の両面に絶縁性樹脂膜５２，５３がコーティングされている。
金属箔５５の表面は、絶縁性樹脂膜５２，５３によってあらかじめラミネート加工されていてもよい。
金属箔５５の平均厚みは２μｍ以上２００μｍ以下とすることが好ましく、トータルの厚みがこの範囲以内であれば、複数の樹脂層等を介在させて複数の金属箔から構成することもできる。例えば、２μｍ〜２０μｍの厚みの金属箔と、１０μｍ〜１００μｍの厚みの金属箔を併用することが考えられる。トータルの厚みのより好ましい範囲は、５μｍ〜１００μｍであり、より好ましい範囲は、２０μｍ〜６０μｍである。
金属箔５５の材質は、均熱性又は放熱性と、水蒸気バリア性を有していれば特に限定されるものではなく、例えば、銅やアルミニウム、ステンレスなどが採用でき、その中でもアルミニウムで形成されていることが好ましい。また、アルミニウムは、耐腐食性があり、伝熱性が高いので伝熱機能が高く、かつ、水分の透過性が低いので封止機能も高い。そのため、本実施形態では金属箔５５としてアルミニウムを採用している。
【００５１】
絶縁性樹脂膜５２，５３の材質は、絶縁性を有していれば特に限定されるものではないが、封止性が高い観点からポリエチレンテレフタレート（ＰＥＴ）とポリ塩化ビニリデン（ＰＶＤＣ）とポリテトラフルオロエチレン（ＰＴＦＥ）のうちいずれかであることが好ましい。本実施形態では、無機封止層７側の絶縁性樹脂膜５２にＰＴＦＥを採用し、反対側の絶縁性樹脂膜５３にＰＥＴを採用している。
絶縁性樹脂膜５２，５３の平均厚みは、５μｍから１００μｍであり、１０μｍから５０μｍであることが好ましい。
【００５２】
防湿部材１１の設置領域は、少なくとも軟質接着層８全体を覆っており、さらに、硬質接着層１０の一部又は全部を覆っている。すなわち、防湿部材１１は、少なくとも発光領域３０を覆っており、さらに給電領域３１，３２まで至っている。
そのため、金属箔５５の均熱機能によって発光領域３０全体の熱を均等にすることができ、発光領域内の有機ＥＬ素子１２の輝度ムラを防止することができる。また、給電領域３１，３２まで延在しているため、外部と、発光領域内の有機ＥＬ素子１２との距離を遠くすることができ、発光領域３０内の有機ＥＬ素子１２内への水等の進入を効果的に防止することができる。
【００５３】
本実施形態では、防湿部材１１は、図１のように基板２全面に敷設されている。すなわち、電極部材２５，２６の一部も覆っている。
【００５４】
電極部材２５，２６は、外部電源と有機ＥＬ素子１２の第１電極層３又は第２電極層６とを電気的に接続する部材である。電極部材２５，２６は、電気伝導性を有した箔状体又は板状体であり、取出部３５，３６に載置可能となっている。
【００５５】
次に、本実施形態に係る有機ＥＬ装置１の製造方法について説明する。
有機ＥＬ装置１は、図示しない真空蒸着装置及びＣＶＤ装置によって成膜し、図示しないパターニング装置、本実施形態では、レーザースクライブ装置を使用してパターニングを行い、製造される。
【００５６】
まず、有機ＥＬ素子を積層する有機ＥＬ素子形成工程を行う。
具体的には、まず、スパッタ法やＣＶＤ法によって基板２の一部又は全部に第１電極層３を成膜する（図７（ａ）から図７（ｂ））。
このとき、本実施形態では、基板２の長辺（長手方向に延伸する辺）の近傍には第１電極層３を積層していない。ここでいう「長辺近傍」とは、長辺からの距離が１ｍｍ以下のものを表し、５００μｍ以下であることが好ましい。
また、形成される第１電極層３の平均厚さは、５０ｎｍから８００ｎｍであることが好ましく、１００ｎｍから４００ｎｍであることがより好ましい。
【００５７】
その後、第１電極層３が成膜された基板に対して、レーザースクライブ装置によって第１電極層分離溝１５を形成する（図７（ｂ）から図７（ｃ））。
このとき、第１電極層分離溝１５は、基板２の短辺に平行に形成されており、短手方向全体に亘っている。
第１電極層分離溝１５は、有機ＥＬ装置１が形成された際に給電領域３２と発光領域３０との境界部位に形成されている。すなわち、第１電極層分離溝１５は、長手方向において、第１電極層３を２つの領域に分割している。
また、この基板上には第１電極層分離溝１５を除いてほぼ全面に第１電極層３が存在している。そのため、このようにレーザースクライブ処理を用いることが可能であり、前記第１電極層３を成膜する際に、成膜を行わない被成膜面を隠すマスクプロセスを省略できる。
【００５８】
次に、真空蒸着装置によって、この基板に電子注入層６０、電子輸送層６１、発光層６２、正孔輸送層６３、正孔注入層６４などを順次積層し、機能層５を成膜する（図７（ｃ）から図７（ｄ））。
このとき、第１電極層分離溝１５内に機能層５が積層され、第１電極層分離溝１５内に機能層５が満たされるとともに、この基板のほぼ全面に機能層５が積層される。
【００５９】
その後、機能層５が成膜された基板に対して、レーザースクライブ装置によって、電極接続溝１６，１７及び取出電極固定溝１８，２０をそれぞれ形成する（図７（ｄ）から図７（ｅ））。
このとき、電極接続溝１６，１７は、基板の短辺に平行になるように形成されており、基板の短手方向全体に亘って形成されている。すなわち、第１電極層分離溝１５と平行となっている。また、電極接続溝１６，１７は、基板上の機能層５を少なくとも３つの領域に分離している。
取出電極固定溝１８，２０は、有機ＥＬ装置１が完成した時の取出部３５，３６の中央に形成されており、長手方向に均等に２分割するように設けられている。
そして、この基板上には電極接続溝１６，１７及び取出電極固定溝１８，２０を除いて機能層５が存在している。そのため、このようにレーザースクライブ処理を用いることが可能であり、前記機能層５を成膜する際に、成膜を行わない被成膜面を隠すマスクプロセスを省略できる。
【００６０】
次に、真空蒸着装置によって、この基板に第２電極層６を成膜する（図７（ｅ）から図７（ｆ））。
このとき、電極接続溝１６，１７及び取出電極固定溝１８，２０内に第２電極層６が積層され、電極接続溝１６，１７及び取出電極固定溝１８，２０内に第２電極層６が満たされるとともに、この基板全面に第２電極層６が積層される。すなわち、電極接続溝１６，１７及び取出電極固定溝１８，２０の底部で第１電極層３と第２電極層６が接触した状態で固着し、第１電極層３と第２電極層６が電気的に接続される。
そのため、第１電極層３と第２電極層６の間に機能層５が介在する場合に比べて、当該３つの層間の剥離強度を向上させることができる。
【００６１】
その後、第２電極層６が成膜された基板に対して、レーザースクライブ装置によって、機能層５及び第２電極層６に亘って延伸した有機ＥＬ素子分離溝２１及び取出電極分離溝２２，２３を形成する（図７（ｆ）から図７（ｇ））。
このとき、有機ＥＬ素子分離溝２１は、電極接続溝１６，１７と平行に形成されており、第２電極層６が積層された領域の短手方向全体に亘って形成されている。すなわち、有機ＥＬ素子分離溝２１は、第１電極層分離溝１５とも平行の関係になっている。
有機ＥＬ素子分離溝２１は、有機ＥＬ装置１が形成された際に給電領域３１と発光領域３０との境界部位に形成されている。すなわち、有機ＥＬ素子分離溝２１は、長手方向において、機能層５及び第２電極層６を２つの領域に分割している。
具体的には、有機ＥＬ素子分離溝２１は、第２電極層６を、発光領域３０内の第２電極層６と、給電領域３１内の第２電極層６とに分割している。
また、取出電極分離溝２２，２３は、機能層５と第２電極層６を島状に切り離しており、取出部３５，３６を形成している。
この基板上には有機ＥＬ素子分離溝２１及び取出電極分離溝２２，２３を除いて第２電極層６が存在している。そのため、このようにレーザースクライブ処理を用いることが可能であり、前記第２電極層６を成膜する際に、成膜を行わない被成膜面を隠すマスクプロセスを省略できる。
以上が、有機ＥＬ素子形成工程である。
【００６２】
続いて、無機封止層７を形成する無機封止層積層工程を行う。
具体的には、まず、この基板の一部をマスクで覆い、ＣＶＤ装置によって、第１無機封止層５０を成膜する（図７（ｇ）から図７（ｈ））。
このとき、第１無機封止層５０は、少なくとも発光領域３０内の第２電極層６を覆っており、さらに、電極接続溝１６，１７の部材厚方向の投影面上まで延伸している。すなわち、有機ＥＬ素子分離溝２１内に第１無機封止層５０が積層され、有機ＥＬ素子分離溝２１内に第１無機封止層５０が満たされる。そのため、封止機能を十分に確保することができる。
さらに、本実施形態の第１無機封止層５０は、長手方向においては、取出電極分離溝２２，２３まで延伸しており、短手方向においては、基板の長辺まで至っている。そのため、伝熱性及び封止性をさらに向上させることができる。
【００６３】
その後、第１無機封止層５０を成膜したＣＶＤ装置から取り出して、第２無機封止層５１の原料を塗布し、第２無機封止層５１を形成し、無機封止層７が形成される。
このとき、第１無機封止層５０上の全面を第２無機封止層５１が覆っている。
このようにして、第１無機封止層５０上に第２無機封止層５１が積層されて無機封止層７が形成される。
【００６４】
その後、電極部材２５，２６を取出部３５，３６に導電性の接着材によって接着する。
このとき、導電性の接着材が塗布した取出部３５，３６上に電極部材２５，２６を載置した後、真空ラミネーターで、接着部材２７，２８を形成する。
また、導電性の接着材が塗布される領域は、長手方向においては取出電極固定溝１８，２０の部材厚方向の投影面上を含み、取出部３５，３６の露出部位全面となっている。
【００６５】
接着部材２７，２８の材料たる導電性の接着材料としては、導電性及び接着機能を有していれば、特に限定されないが、例えば、エポキシ系接着材料やアクリル系接着材料、低温半田などが採用できる。
導電性の接着材の塗布量は、固化後に形成される接着部材２７，２８の厚みが５００ｎｍ以上５０μｍ以下となっており、１μｍ以上３０μｍ以下であることが好ましく、１０μｍ以上２０μｍ以下であることが特に好ましい。
以上が、封止層積層工程の説明である。
【００６６】
上記した手順によって形成された無機封止層７に防湿部材１１を接着する防湿部材接着工程を行う。
防湿部材接着工程では、無機封止層７に防湿部材１１を接着するとともに、軟質接着層８及び硬質接着層１０を形成する。
具体的には、無機封止層７上に軟質接着層８を真空ラミネーターで貼り合わせる（図８（ａ）から図８（ｂ））。
このとき、軟質接着層８を形成するに当たって、軟質接着層８の両面に絶縁性のセパレーターが被覆したものを用いる。また、貼り合わせ時には、軟質接着層８の片面のセパレーターを剥離して、剥離面を無機封止層７上に貼り合わせる。
そして、この貼り合わせた状態では、軟質接着層８は発光領域３０全体を覆っており、さらに、電極接続溝１６，１７まで延伸している。軟質接着層８は、取出電極分離溝２２，２３まで至っていない。すなわち、電極接続溝１６，１７から外側には、軟質接着層８が被覆しておらず、無機封止層７が露出している。言い換えると、無機封止層７上には、無機封止層７が露出した部位と、軟質接着層８が被覆した部位が混在し、軟質接着層８が被覆した部位は短手方向及び長手方向の中央に位置している。
【００６７】
その後、前記剥離面の反対側の面のセパレーターを剥離する（図８（ｂ）から図８（ｃ））。
【００６８】
続いて、この基板に、硬質接着層１０の原料をディスペンサー７０によって塗布し、硬質接着層１０を成膜する（図９（ｄ）から図９（ｅ））。
硬質接着層１０は、軟質接着層８の一部又は全面を覆っている。なお、本実施形態では、硬質接着層１０は、軟質接着層８の一部を覆っており、図１１のように軟質接着層８と無機封止層７に跨がって塗布されて形成されている。発光領域３０に位置する軟質接着層８の大部分は、硬質接着層１０が覆われていない。すなわち、軟質接着層８が露出する開口が形成されている。当該開口の面積は、発光領域３０の面積に比べて一回り大きくなっている。当該開口の面積は、軟質接着層８の形成面積の９０パーセント以上９８パーセント以下となっており、９５パーセント以上９８パーセント以下であることが好ましい。
また、硬質接着層１０は、電極部材２６，２７の一部（基板２の部材厚方向の投影面）を覆っている。言い換えると、電極部材２６，２７の一部は、硬質接着層１０内に埋没している。すなわち、共に接着性を有した軟質接着層８と硬質接着層１０が被っており、オーバーラップしている。
【００６９】
続いて、この基板上であって、軟質接着層８及び硬質接着層１０上に防湿部材１１を載置し、真空ラミネーターで貼り合わせる（図１０（ｆ）から図１０（ｇ））。
【００７０】
このとき、防湿部材１１は、軟質接着層８及び硬質接着層１０の全面を覆っており、軟質接着層８及び硬質接着層１０の接着機能によって無機封止層７又は電極部材２６，２７に一体化される。すなわち、防湿部材１１は、有機ＥＬ素子１２の全面を間接的に覆っている。
【００７１】
このようにして防湿部材接着工程を終了し、有機ＥＬ装置１が完成する。
【００７２】
有機ＥＬ装置１の機能について説明する。
外的要因等によって、有機ＥＬ素子１２が破損し、その一部が飛散した場合について説明する。なお、本実施形態の有機ＥＬ装置１は、無機封止層７と軟質接着層８と硬質接着層１０と防湿部材１１によって水等の進入を防止しているため、封止機能が高く、基本的には、ダークスポットが発生しないが、外的要因等によって、短絡等が発生し、ダークスポットが発生したものとして説明する。
図１３のように、外的要因等の理由により、有機ＥＬ素子１２内で短絡し、有機ＥＬ素子１２が破損して飛散すると、無機封止層７を介して軟質接着層８が押圧され、塑性変形する。この押圧力は、軟質接着層８の弾性変形又は塑性変形によって受け流されて分散される。そのため、この押圧力は硬質接着層１０にほとんど伝わらない。それ故に、硬質接着層１０からの剛性によって、軟質接着層８が押し返されず、有機ＥＬ素子１２がストレスを受けにくい。すなわち、第１電極層３と第２電極層６との間隔が狭まりにくく、ストレスによる短絡が起こりにくい。
また、硬質接着層１０と防湿部材１１によって、封止機能を維持しているため、たとえ、無機封止層７が破損しても、水等の進入を防止でき、水等の進入に伴うダークスポットの発生も抑制できる。
【００７３】
上記した実施形態では、軟質接着層８が有機ＥＬ装置１の中央付近全体を覆っていたが、本発明はこれに限定されるものではなく、図１５のように平面視して「ロ」字状の軟質接着層８を使用し、その周りを硬質接着層１０が覆っていてもよい。
【００７４】
上記した実施形態では、硬質接着層１０として、溶液又はゲル状の流動体を固化して形成されるものを用いたが、本発明はこれに限定されるものではなく、シート状や板状のものであってもよい。また、シート状や板状の硬質樹脂層と流動体状の硬質樹脂層の原液を組み合わせて硬質接着層１０を形成してもよい。
【００７５】
上記した実施形態では、基板２として長方形状のガラス基板を用いた場合について説明したが、本発明はこれに限定されるものではなく正方形状であってもよい。
【符号の説明】
【００７６】
１  有機ＥＬ装置
２  基板（基材）
３  第１電極層
５  機能層（有機発光層）
６  第２電極層
７  無機封止層（封止層）
８  軟質接着層
１０  硬質接着層
１１  防湿部材（封止部材）
１２  有機ＥＬ素子（積層体）
３０  発光領域
【図１】
2014053252.tif 000003
【図２】
2014053252.tif 000004
【図３】
2014053252.tif 000005
【図４】
2014053252.tif 000006
【図５】
2014053252.tif 000007
【図６】
2014053252.tif 000008
【図７】
2014053252.tif 000009
【図８】
2014053252.tif 000010
【図９】
2014053252.tif 000011
【図１０】
2014053252.tif 000012
【図１１】
2014053252.tif 000013
【図１２】
2014053252.tif 000014
【図１３】
2014053252.tif 000015
【図１４】
2014053252.tif 000016
【図１５】
2014053252.tif 000017
【図１６】
2014053252.tif 000018